(57)【要約】【課題】  栽培パネルを粗雑に扱っても培地カップが栽培パネルから脱落することのない植物栽培装置の提供。【解決手段】  栽培パネル１ａ，１ｂと培地カップ２とを備え、栽培パネル１ａ，１ｂは、培地カップ取付孔３が設けてあり、培地カップ取付孔３は、切欠き４を有し、培地カップ２は、取付孔挿入部５と、取付孔挿入部５の下方に設けた抜け止め部６と、取付孔挿入部５の上方に設けたつば７を有し、抜け止め部６を切欠き４に通して取付孔挿入部５を栽培パネル１ａ，１ｂの培地カップ取付孔３に挿入して、培地カップ２を垂直軸回りに回転させることで、つば７が栽培パネル１ａ，１ｂの上面に係止し、抜け止め部６が栽培パネル１ａ，１ｂの下面に対向している。【選択図】      図１
2020156407.tif 000002
【特許請求の範囲】
【請求項１】
栽培パネルと培地カップとを備え、栽培パネルは、培地カップ取付孔が設けてあり、培地カップ取付孔は、切欠きを有し、培地カップは、取付孔挿入部と、取付孔挿入部の下方に設けた抜け止め部と、取付孔挿入部の上方に設けたつばを有し、抜け止め部を切欠きに通して取付孔挿入部を栽培パネルの培地カップ取付孔に挿入して、培地カップを垂直軸回りに回転させることで、つばが栽培パネルの上面に係止し、抜け止め部が栽培パネルの下面に対向していることを特徴とする植物栽培装置。
【発明の詳細な説明】
【技術分野】
【０００１】
本発明は、植物栽培装置に関する。
【背景技術】
【０００２】
植物工場における植物栽培装置は、水をはったトレーの上に栽培パネルが並べて配置してあり、各栽培パネルには植物を植えた培地カップが複数保持してある。栽培パネルは、植物が成長するにつれて、培地カップの間隔の狭いものから培地カップの間隔の広いものに交換する必要がある。従来、培地カップは、栽培パネルに形成した丸い孔に嵌め込んで保持してあるだけだったので（例えば、特許文献１参照）、栽培パネルを交換する際に栽培パネルを粗雑に扱うと、培地カップが栽培パネルから脱落するおそれがあった。
【先行技術文献】
【特許文献】
【０００３】
【特許文献１】特開２０１３−１６２７４９号公報
【発明の概要】
【発明が解決しようとする課題】
【０００４】
本発明は以上に述べた実情に鑑み、栽培パネルを粗雑に扱っても培地カップが栽培パネルから脱落することのない植物栽培装置の提供を目的とする。
【課題を解決するための手段】
【０００５】
上記の課題を達成するために請求項１記載の発明による植物栽培装置は、栽培パネルと培地カップとを備え、栽培パネルは、培地カップ取付孔が設けてあり、培地カップ取付孔は、切欠きを有し、培地カップは、取付孔挿入部と、取付孔挿入部の下方に設けた抜け止め部と、取付孔挿入部の上方に設けたつばを有し、抜け止め部を切欠きに通して取付孔挿入部を栽培パネルの培地カップ取付孔に挿入して、培地カップを垂直軸回りに回転させることで、つばが栽培パネルの上面に係止し、抜け止め部が栽培パネルの下面に対向していることを特徴とする。
【発明の効果】
【０００６】
請求項１記載の発明による植物栽培装置は、栽培パネルに設けた培地カップ取付孔に切欠きを有し、培地カップは、取付孔挿入部と、取付孔挿入部の下方に設けた抜け止め部と、取付孔挿入部の上方に設けたつばを有し、抜け止め部を切欠きに通して取付孔挿入部を栽培パネルの培地カップ取付孔に挿入して、培地カップを垂直軸回りに回転させることで、つばが栽培パネルの上面に係止し、抜け止め部が栽培パネルの下面に対向しているので、栽培パネルを粗雑に扱っても培地カップが栽培パネルから脱落することがない。
【図面の簡単な説明】
【０００７】
【図１】図２のＡ−Ａ断面図である。
【図２】本発明の植物栽培装置の一実施形態を示す正面図である。
【図３】図２のＢ−Ｂ断面図であって、（ａ）は培地カップ取付孔の間隔が狭い栽培パネルを設置した状態、（ｂ）は培地カップ取付孔の間隔が広い栽培パネルを設置した状態を示す。
【図４】（ａ）は培地カップ取付孔の間隔が狭い栽培パネルの平面図であり、（ｂ）は同栽培パネルの側面図である。
【図５】（ａ）は培地カップ取付孔の間隔が広い栽培パネルの平面図であり、（ｂ）は同栽培パネルの側面図である。
【図６】栽培パネルと培地カップを分離した状態で示す斜視図である。
【図７】（ａ）は培地カップの平面図、（ｂ）は一部切欠き正面図、（ｃ）は側面図である。
【図８】培地カップの取付手順を示す平面図であって、（ａ）は培地カップの抜け止め部を切欠きに通して栽培カップを栽培パネルの培地カップ取付孔に挿入した状態、（ｂ）は培地カップを垂直軸回りに回転して抜け止めした状態を示す。
【図９】栽培パネルを培地カップ取付孔の間隔の狭いものから間隔の広いものへ交換する手順を示す平面図である。
【発明を実施するための形態】
【０００８】
以下、本発明の実施の形態を図面に基づいて説明する。図１〜３は、本発明の植物栽培装置の一実施形態を示している。本植物栽培装置は、野菜等を生産する植物工場内に設置されるものであり、図２に示すように、植物栽培棚８と送風装置９とを備える。植物栽培棚８は、上下５段の棚板１０，１０，…と天板１１とが支柱１２に支持してある。植物栽培棚８は、左右方向の長さが約６ｍ、奥行き（前後方向長さ）が約１．３ｍ、高さが約２．５ｍある。各段の棚板１０の上には、図１，２に示すように、植物栽培用のトレー１３が設置してある。天板１１の下面と、上から１〜４段目の棚板１０の下面には、照明１４が取付けてある。栽培する植物は、特に限定されるものではないが、例えばレタス等の葉物野菜があげられる。
【０００９】
送風装置９は、図２に示すように、給気装置１５と、圧力調整室１６と、送風管１７，１７，…を有している。給気装置１５は、市販のシロッコファンを用いたもので、モーターでファンを回転させることで二酸化炭素濃度が調整された工場内の空気を吸い込んで圧力調整室１６に送り込む。圧力調整室１６は、直方体の箱状のものであり、給気装置１５から空気が直接的に送り込まれることで、内部の圧力が一定に保たれる。送風管１７，１７，…は、ポリエチレン製のチューブで形成したものであり、植物栽培棚８の左右方向の全長に跨って設けてあり、右側の端部は圧力調整室１６の空気吹出口１８に連結され、左側の端部は閉じられている。送風管１７は、図１に示すように、植物栽培棚８の各段毎に前後方向に間隔をあけて３本ずつ設けてある。送風管１７は、天板１１及び棚板１０の下面に取付けた略Ｕ字形の支持具１９で支持してある。送風管１７は、長手方向に一定の間隔をおいて空気吹出口（図示省略）が設けてある。空気吹出口は、送風管１７の下面側に垂直方向から前方及び後方に所定角度傾いた位置に設けてあり、図中の矢印２０に示すように、風を斜めに吹出している。これにより、植物の蒸散によりトレー１３上にこもる湿気や熱を拡散させ、送風管１７から送られてくる新しい空気で効率よく置換できる。このような構成の送風装置９を用いることで、棚の全ての植物に均一に風を当てることができ、均質な生育を行うことができる。
【００１０】
図１に示すように、トレー１３内には養液２１が供給されており、トレー１３上には培地カップ２を保持した栽培パネル１が設置してある。栽培パネル１は、図３（ａ），（ｂ）に示すように、培地カップ取付孔３の間隔が狭い育苗用栽培パネル１ａと、培地カップ取付孔３の間隔が広い定植用栽培パネル１ｂの２種類があって、それぞれ左右方向に多数連結して設置される。植物の育成の初期段階では育苗用栽培パネル１ａが用いられ、植物がある程度成長すると定植用栽培パネル１ｂに交換される。
図４は育苗用栽培パネル１ａを示し、図５は定植用栽培パネル１ｂを示している。両栽培パネル１ａ，１ｂは、光を透過しない発泡スチロール板で形成してあり、左右方向の一端部と他端部に連結用の突部２２と凹部２３がそれぞれ設けてあり、凹部２３に隣の栽培パネル１ａ，１ｂの突部２２を嵌合することで、栽培パネル１ａ，１ｂ同士を連結できるようになっている。各栽培パネル１ａ，１ｂには、培地カップ取付孔３が複数設けてあり、培地カップ取付孔３は、円形の孔の左側と右側の二箇所に半円形の切欠き４を有する形状となっている。
【００１１】
培地カップ２は、樹脂で一体成形したものであり、図６，７に示すように、上側が広がった略円筒状に形成されており、栽培パネル１ａ，１ｂの培地カップ取付孔３に挿入される取付孔挿入部５と、取付孔挿入部５の下方に左右両側に突出して設けた抜け止め部６と、取付孔挿入部５の上方に設けた円形のつば７を有している。抜け止め部６は、栽培パネル１ａ，１ｂの培地カップ取付孔３の切欠き４を通過できる形状となっており、つば７は培地カップ取付孔３の切欠き４よりも外周側に広がっている。培地カップ２は、図１に示すように、内部にスポンジ等よりなる培地２４が挿入保持され、培地２４に植物２５が植えつけられ、植物２５の根が養液２１に浸かる。
【００１２】
培地カップ２は、図６と図８（ａ）に示すように、抜け止め部６を切欠き４に通して取付孔挿入部５を栽培パネル１ａ，１ｂの培地カップ取付孔３に挿入し、図８（ｂ）に示すように、培地カップ２を垂直軸回りに９０°回転させる。すると、図１に示すように、つば７が栽培パネル１ａ，１ｂの上面に係止し、抜け止め部６が栽培パネル１ａ，１ｂの下面に係止して、培地カップ２が培地カップ取付孔３に抜けないように安定して取付けられる。そうして培地カップ２を培地カップ取付孔３に取付けると、図８（ｂ）に示すように、培地カップ２と培地カップ取付孔３の隙間がつば７で全周隠れる。培地カップ２を取外す際は、培地カップ２を垂直軸回りに９０°回転して抜け止め部６を切欠き４に合わせてから、上方に引き抜けばよい。
なお、培地カップ２を栽培パネル１ａ，１ｂの培地カップ取付孔３に取付けた状態において、抜け止め部６が必ずしも栽培パネル１ａ，１ｂの下面に係止していなくてもよく、抜け止め部６と栽培パネル１ａ，１ｂの下面との間に隙間があってもよい。すなわち、隙間の有無にかかわらず、抜け止め部６が栽培パネル１ａ，１ｂの下面に対向していればよい。
【００１３】
次に、栽培パネル１を育苗用栽培パネル１ａから定植用栽培パネル１ｂに交換するときの手順を説明する。まず、図９（ａ）に示すように、植物栽培棚８の側方（左側）から連結された育苗用栽培パネル１ａ，１ａ，…を手前側に引寄せつつ、育苗用栽培パネル１ａを一枚ずつトレー１３から外す。外した育苗用栽培パネル１ａから培地カップ２を取外し、培地カップ２を定植用栽培パネル１ｂに付け替える。その後、図９（ｂ）に示すように、植物栽培棚８の側方から定植用栽培パネル１ｂを一枚ずつ順次連結して奥側に送るようにしてトレー１３に設置する。
【００１４】
以上に述べたように本植物栽培装置は、栽培パネル１ａ，１ｂに設けた培地カップ取付孔３に切欠き４を有し、培地カップ２は、取付孔挿入部５と、取付孔挿入部５の下方に設けた抜け止め部６と、取付孔挿入部５の上方に設けたつば７を有し、抜け止め部６を切欠き４に通して取付孔挿入部５を栽培パネル１ａ，１ｂの培地カップ取付孔３に挿入して、培地カップ２を垂直軸回りに回転させることで、つば７が栽培パネル１ａ，１ｂの上面に係止し、抜け止め部６が栽培パネル１ａ，１ｂの下面に対向しているので、栽培パネル１ａ，１ｂを粗雑に扱っても培地カップ２が栽培パネル１ａ，１ｂから脱落することがない。
また、培地カップ２のつば７は、培地カップ取付孔３の切欠き４よりも外周側に広がっており、培地カップ２と培地カップ取付孔３の隙間をつば７で全周隠してあることで、切欠き４が露出せず見た目が良いとともに、培地カップ取付孔３からトレー１３内にゴミ等が落ちたりする不都合もない。さらに、培地カップ２と培地カップ取付孔３の隙間をつば７で全周隠してあることで、培地カップ２と培地カップ取付孔３の隙間からトレー１３内に光が漏れないので、トレー１３の養液２１中に藻が発生するのを防ぐことができる
栽培パネル１ａ，１ｂは、光を透過しない材質で形成したので、トレー１３の養液２１中に藻が発生するのを防ぐことができる。
【００１５】
本発明は以上に述べた実施形態に限定されない。栽培パネルと培地カップの形状、材質は、適宜変更することができる。栽培パネルの材質は、限定されるものではないが、光を透過しないものが好ましく、発泡スチロールの他、プラスチック、木であってもよい。栽培する植物の種類は問わない。
【符号の説明】
【００１６】
１，１ａ，１ｂ  栽培パネル
２  培地カップ
３  培地カップ取付孔
４  切欠き
５  取付孔挿入部
６  抜け止め部
７  つば
【図１】
2020156407.tif 000003
【図２】
2020156407.tif 000004
【図３】
2020156407.tif 000005
【図４】
2020156407.tif 000006
【図５】
2020156407.tif 000007
【図６】
2020156407.tif 000008
【図７】
2020156407.tif 000009
【図８】
2020156407.tif 000010
【図９】
2020156407.tif 000011